(57)【要約】【課題】  使用目的に応じて１枚のカードを幅広く使い分けることが可能な非接触型ＩＣカードを提供すること。【解決手段】  この非接触型ＩＣカード１は、第１のＩＣチップ３Ａと、半導体メモリ１０ａに対して読み書きするデータが変調された電気信号を送受信するループ状の第１のアンテナコイル４Ａとを有する第１のデータ送受信部５Ａと、第２のＩＣチップ３Ｂと、半導体メモリ１０ｂに対して読み書きするデータが変調された電気信号を送受信するループ状の第２のアンテナコイル４Ｂとを有する第２のデータ送受信部５Ｂと、導電部１３を有するスイッチ部８とを備え、アンテナコイル４Ａ，４Ｂの途中には、接続端部２０，３０が形成されており、スイッチ部８の導電部１３は、接続端部２０を電気的に閉じる位置と接続端部３０を電気的に閉じる位置との間で選択的に移動する。【選択図】  図１
2006190111.tif 000002
【特許請求の範囲】
【請求項１】
平板状のベース部内に配設されると共に、半導体メモリを含む第１のＩＣチップと、前記第１のＩＣチップに接続されて、前記半導体メモリに対して読み書きするデータが変調された電気信号を送受信するループ状の第１のアンテナコイルと、を有する第１のデータ送受信部と、
前記ベース部内に配設されると共に、半導体メモリを含む第２のＩＣチップと、前記第２のＩＣチップに接続されて、前記半導体メモリに対して読み書きするデータが変調された電気信号を送受信するループ状の第２のアンテナコイルと、を有する第２のデータ送受信部と、
導電部を有するスイッチ部とを備え、
前記第１のアンテナコイル及び前記第２のアンテナコイルの途中には、第１及び第２の接続端部が形成されており、
前記スイッチ部の前記導電部は、第１の接続端部を電気的に閉じる位置と前記第２の接続端部を電気的に閉じる位置との間で選択的に移動する、
ことを特徴とする非接触型ＩＣカード。
【請求項２】
前記スイッチ部が収容されると共に、前記第１の接続端部と前記第２の接続端部とを架け渡すように直線的に形成されたスイッチ収容部を更に備え、
前記スイッチ収容部の一端側には前記第１の接続端部が露出し、前記スイッチ収容部の他端側には前記第２の接続端部が露出し、
前記スイッチ部を前記スイッチ収容部の直線的な縁部に沿って前記一端側に向けて直線的にスライドさせることにより、前記スイッチ部の前記導電部と前記第１の接続端部とを接触させて、前記第１のアンテナコイルを電気的に導通させ、
前記スイッチ部を前記他端側に向けて直線的にスライドさせることにより、前記スイッチ部の前記導電部と前記第２の接続端部とを接触させて、前記第２のアンテナコイルを電気的に導通させる、
ことを特徴とする請求項１記載の非接触型ＩＣカード。
【請求項３】
前記スイッチ部が収容されると共に、前記第１の接続端部と前記第２の接続端部とを架け渡すように円形に形成されたスイッチ収容部を更に備え、    
前記スイッチ収容部には前記第１及び第２の接続端部が露出し、
前記スイッチ部を前記スイッチ収容部の円形の縁部に沿って回転させることにより、前記スイッチ部の前記導電部と前記第１の接続端部とを接触させて、前記第１のアンテナコイルを電気的に導通させ、
前記スイッチ部を前記スイッチ収容部の円形の縁部に沿って回転させることにより、前記スイッチ部の前記導電部と前記第２の接続端部とを接触させて、前記第２のアンテナコイルを電気的に導通させる、
ことを特徴とする請求項１記載の非接触型ＩＣカード。
【請求項４】
前記第１のＩＣチップと前記第２のＩＣチップとは異なる種類であることを特徴とする請求項１〜３のいずれか１項に記載の非接触型ＩＣカード。
【発明の詳細な説明】
【技術分野】
【０００１】
本発明は、電子決済やユーザ認証等に用いられる非接触型ＩＣ（Integrated Circuit）カードに関するものである。
【背景技術】
【０００２】
自動改札通過時の乗車記録、店頭での製品購入時の電子決済等を行うためのものとして、非接触型ＩＣカードが広く普及しつつある。この非接触型ＩＣカードは、銀行のキャッシュカード等の接触式カードとは異なり、外部リーダライタとの間で無線によって各種データを送受信するものである。従来の非接触型ＩＣカードの構成としては、例えば下記特許文献１記載のものがある。この非接触型ＩＣカードは、シート状のカード本体間に、１つのＩＣチップと、このＩＣチップに両端が接続されたアンテナコイルとが挟み込まれてなるものである。
【特許文献１】特開２００２−３７３３２２号公報
【発明の開示】
【発明が解決しようとする課題】
【０００３】
一般に、非接触型ＩＣカードに搭載されるＩＣチップとしては、製造メーカの異なるもの、データ容量、ＣＰＵ処理能力等の性能が異なるもの、異なるサービスに対応するプログラムが搭載されたもの等、複数種類のものが使用されている。このような場合に、上述した従来の非接触型ＩＣカードでは１つのＩＣチップしか搭載していないため、同時に複数種類のカードを使用したい場合等にカード交換等の煩雑さが発生する。また、１つの用途にしか使用しない場合であっても、カードに入力されている入金データが不足した場合等に迅速に対応することができない。
【０００４】
そこで、本発明はかかる課題に鑑みて為されたものであり、使用目的に応じて１枚のカードを幅広く使い分けることが可能な非接触型ＩＣカードを提供することを目的とする。
【課題を解決するための手段】
【０００５】
上記課題を解決するため、本発明の非接触型ＩＣカードは、平板状のベース部内に配設されると共に、半導体メモリを含む第１のＩＣチップと、第１のＩＣチップに接続されて、半導体メモリに対して読み書きするデータが変調された電気信号を送受信するループ状の第１のアンテナコイルと、を有する第１のデータ送受信部と、ベース部内に配設されると共に、半導体メモリを含む第２のＩＣチップと、第２のＩＣチップに接続されて、半導体メモリに対して読み書きするデータが変調された電気信号を送受信するループ状の第２のアンテナコイルと、を有する第２のデータ送受信部と、導電部を有するスイッチ部とを備え、第１のアンテナコイル及び第２のアンテナコイルの途中には、第１及び第２の接続端部が形成されており、スイッチ部の導電部は、第１の接続端部を電気的に閉じる位置と第２の接続端部を電気的に閉じる位置との間で選択的に移動することを特徴とする。
【０００６】
このような非接触型ＩＣカードによれば、第１及び第２のＩＣチップのそれぞれにループ状のアンテナコイルが接続され、アンテナコイルによって電気信号が送受信されることによって、それぞれのＩＣチップ内の半導体メモリに読み書きするデータの授受が行われる。この際、スイッチ部の導電部の移動により、両方のアンテナコイルの途中に形成された接続端部を選択的に導通させることによって、第１のＩＣチップに接続された第１のアンテナコイル、及び第２のＩＣチップに接続された第２のアンテナコイルのうちから選択して電気信号を送受信させることができる。その結果、１枚のカードで複数のＩＣチップの中から選択して、データを送受信させることができる。
【０００７】
また、スイッチ部が収容されると共に、第１の接続端部と第２の接続端部とを架け渡すように直線的に形成されたスイッチ収容部を更に備え、スイッチ収容部の一端側には第１の接続端部が露出し、スイッチ収容部の他端側には第２の接続端部が露出し、スイッチ部をスイッチ収容部の直線的な縁部に沿って一端側に向けて直線的にスライドさせることにより、スイッチ部の導電部と第１の接続端部とを接触させて、第１のアンテナコイルを電気的に導通させ、スイッチ部を他端側に向けて直線的にスライドさせることにより、スイッチ部の導電部と第２の接続端部とを接触させて、第２のアンテナコイルを電気的に導通させる、ことが好ましい。
【０００８】
この場合、両方のアンテナコイルの接続端部の間に直線的に形成されたスイッチ収容部にスイッチ部を収容させて、このスイッチ部をスイッチ収容部の縁部に沿って直線的にスライドさせることにより、第１及び第２の接続端部のいずれか一方が、スイッチ部に設けられた導電部と接触して導通する。これにより、１枚のカードで複数のＩＣチップの中から選択して、データを送受信させることができると共に、スイッチ部の厚さを薄くしてカード全体の薄型化を図ることができる。
【０００９】
さらに、スイッチ部が収容されると共に、第１の接続端部と第２の接続端部とを架け渡すように円形に形成されたスイッチ収容部を更に備え、スイッチ収容部には第１及び第２の接続端部が露出し、スイッチ部をスイッチ収容部の円形の縁部に沿って回転させることにより、スイッチ部の導電部と第１の接続端部とを接触させて、第１のアンテナコイルを電気的に導通させ、スイッチ部をスイッチ収容部の円形の縁部に沿って回転させることにより、スイッチ部の導電部と第２の接続端部とを接触させて、第２のアンテナコイルを電気的に導通させる、ことが好ましい。
【００１０】
この場合、両方のアンテナコイルの接続端部の間において円形に形成されたスイッチ収容部にスイッチ部を収容させて、このスイッチ部をスイッチ収容部の縁部に沿って回転させることにより、第１及び第２の接続端部のいずれか一方が、スイッチ部に設けられた導電部と接触して導通する。これにより、１枚のカードで複数のＩＣチップの中から選択して、データを送受信させることができると共に、スイッチ部の厚さを薄くしてカード全体の薄型化を図ることができる。
【００１１】
また、第１のＩＣチップと第２のＩＣチップとは異なる種類であることも好ましい。このような構成とすれば、異なる種類のＩＣチップの中から選択して、データを送受信させることができるので、状況に応じて同一のカードを複数の用途に使い分けることができる。
【発明の効果】
【００１２】
本発明によれば、使用目的に応じて１枚のカードを幅広く使い分けることができる。
【発明を実施するための最良の形態】
【００１３】
以下、図面を参照しつつ本発明に係る非接触型ＩＣカードの好適な実施形態について詳細に説明する。
【００１４】
［第１実施形態］
図１は、本発明の第１実施形態にかかる非接触型ＩＣカード１を概略的に示す平面図である。この非接触型ＩＣカード１は、電子マネー情報、ユーザ識別情報等のデータを保持しつつ、無線通信によって、自動改札、店舗等に設置された外部リーダライタ装置等に対してデータを送受信する装置である。
【００１５】
同図に示すように、非接触型ＩＣカード１には、矩形平板状のプラスチック製ベース部２を有し、このベース部２の内部には、ＩＣチップ３Ａ，３Ｂとアンテナコイル４Ａ，４Ｂとが配設されている。この場合、第１のＩＣチップ３Ａと、第１のＩＣチップ３Ａに両端が接続された第１のアンテナコイル４Ａとで、第１のデータ送受信部５Ａが構成され、第２のＩＣチップ３Ｂと、第２のＩＣチップ３Ｂに両端が接続された第２のアンテナコイル４Ｂとで、第２のデータ送受信部５Ｂが構成される。そして、第１のデータ送受信部５Ａ及び第２のデータ送受信部５Ｂは、それぞれ独立して外部とのデータの送受信が可能である。
【００１６】
第１のＩＣチップ３Ａ及び第２のＩＣチップ３Ｂは、それぞれ、ＣＰＵ（Central Processing Unit）９ａ及びＣＰＵ９ｂと、半導体メモリ１０ａ及び半導体メモリ１０ｂとを含む半導体集積回路である。ＣＰＵ９ａ，９ｂは、中央演算処理装置とも呼ばれ、ＩＣチップ３Ａ，３Ｂによって実行される処理（詳細は、後述する。）の制御を行う演算装置である。また、半導体メモリ１０ａ，１０ｂは、ＲＡＭ（Random Access Memory）、ＲＯＭ（Read Only Memory）、ＥＥＰＲＯＭ（Electrically Erasable Programmable ROM）等を備え、ＣＰＵ９ａ，９ｂで動作させるプログラムの記憶、外部との間で送受信するデータの一時的な記憶、ＣＰＵ９ａ，９ｂでの演算処理に使用されるユーザ識別情報や電子マネー情報等のデータの記憶等を行う。ここで、第１のＩＣチップ３Ａと第２のＩＣチップ３Ｂとは、半導体メモリのデータ容量、ＣＰＵの処理能力において異なる種類の半導体集積回路である。
【００１７】
また、第１のＩＣチップ３Ａ及び第２のＩＣチップ３Ｂには、第１のアンテナコイル４Ａ及び第２のアンテナコイル４Ｂがそれぞれ接続されている。それぞれのアンテナコイル４Ａ，４Ｂは、ベース部２の長辺方向で２分割した領域において、ベース部２の縁部に沿って矩形ループ状に巻かれた導電路として形成されている。さらに、それぞれのアンテナコイル４Ａ及びアンテナコイル４Ｂの導電路の途中には、ベース部２の中央部において、各導電路を電気的に遮断するのに十分な長さの切除部分が設けられ、その切除部分の両側には第１の接続端部２０及び第２の接続端部３０がそれぞれ形成されている。
【００１８】
また、ベース部２の表面中央部には、プラスチック製のスイッチ部８を収容するためのスイッチ収容部７が設けられている。図２は、図１の非接触型ＩＣカード１のスイッチ収容部７周辺を部分的に示す分解斜視図である。同図に示すように、スイッチ収容部７は、第１のアンテナコイル４Ａの第１の接続端部２０と第２のアンテナコイル４Ｂの第２の接続端部３０とを架け渡すように、両接続端部２０，３０を結ぶ方向（図２のＸ１、Ｘ２方向）に直線的に形成されている。この場合のスイッチ収容部７は、ベース部２の表面と平行な矩形状の底面を有し、スイッチ収容部７のＸ１方向に沿った縁部には、スイッチ収容部７から外側に向かってＶ字状に形成されたガイド溝１２が形成されている。また、スイッチ収容部７の底面において、Ｘ１方向の端部側には、第１の接続端部２０の一方の接続端部２０ａと他方の接続端部２０ｂとが対峙して露出し、スイッチ収容部７の底面において、Ｘ２方向の端部側には、第２の接続端部３０の一方の接続端部３０ａと他方の接続端部３０ｂとが対峙して露出している。
【００１９】
このような形状のスイッチ収容部７は、Ｘ軸に垂直な方向における断面が６角形状のスイッチ収容空間を形成する。さらに、Ｘ１方向において、スイッチ収容部７の底面の両端部には、Ｘ軸に垂直な方向に直線的に形成された突起状の係止部１１Ａ，１１Ｂが形成されている。
【００２０】
このようなスイッチ収容部７内に配置されるスイッチ部８は、その断面形状が、スイッチ収容部７のＸ軸に垂直な方向における断面とほぼ一致するように形成されている。また、スイッチ部８をスイッチ収容部７に収容した状態において、このスイッチ部８の下面には、中央部においてＸ１方向に垂直な方向に設けられた導電部１３と、導電部１３を挟むように両端部に直線状、かつ平行に形成された溝部１４Ａ，１４Ｂとが設けられている。さらに、スイッチ部８のＸ軸に沿った両縁部には、突起部１５，１５が形成され、各突起部１５，１５は、スイッチ収容部７の各ガイド溝１２，１２内に収容され、その結果、スイッチ部８をスイッチ収容部７内でＸ１，Ｘ２方向に確実にスライドさせることができる。
【００２１】
そこで、スイッチ部８をガイド溝１２に沿わせた状態でＸ１方向に十分にスライドさせると、スイッチ部８の溝部１４Ａに係止部１１Ａが嵌め込まれ、スイッチ部８の位置が固定される。この時、スイッチ部８の導電部１３の両端部と、第１の接続端部２０の両接続端部２０ａ，２０ｂとが重ね合わされた状態で接触し、第１のアンテナコイル４Ａの導電路が電気的に導通される。同様に、スイッチ部８をガイド溝１２に沿わせた状態でＸ２方向に十分にスライドさせると、スイッチ部８の溝部１４Ｂに係止部１１Ｂが嵌め込まれた状態でスイッチ部８の位置が固定される。この時、スイッチ部８の導電部１３の両端部と、第２の接続端部３０の両接続端部３０ａ，３０ｂとが重ね合わされた状態で接触し、第２のアンテナコイル４Ｂの導電路が電気的に導通される。このようにして、スイッチ部８は、第１のアンテナコイル４Ａを電気的に閉じる位置と、第２のアンテナコイル４Ｂを電気的に閉じる位置との間で選択的にスライド可能なスイッチを構成し、スイッチ部８は、スイッチ収容部７の両端でロックされる。
【００２２】
以下、スイッチ部８によって切り替えられた状態での第１のデータ送受信部５Ａ及び第２のデータ送受信部５Ｂの動作について簡単に説明する。
【００２３】
スイッチ部８によって、第１のアンテナコイル４Ａが導通されると、第１のＩＣチップ３Ａは、それぞれ、第１のアンテナコイル４Ａを介して外部から電気信号を受信する。第１のＩＣチップ３Ａは、受信した電気信号に変調されているデータを読み取って、ＣＰＵ９ａが、読み取ったデータ及び半導体メモリ１０ａに記憶されたデータに基づいて所定の演算処理を行う。同時に、ＣＰＵ９ａは、読み取ったデータ、又はそのデータに基づいて所定の演算処理を施したデータを半導体メモリ１０ａに記憶することも行う。その後、第１のＩＣチップ３Ａは、演算結果のデータを電気信号に変調して、その電気信号を第１のアンテナコイル４Ａを介して外部に送信する。これに対し、スイッチ部８をスライドさせ、第２のアンテナコイル４Ｂが導通すると、前述と同様に、第２のアンテナコイル４Ｂを介して外部との送受信が行われる。
【００２４】
上述した非接触型ＩＣカード１によれば、第１及び第２のＩＣチップ３Ａ，３Ｂのそれぞれにループ状のアンテナコイル４Ａ，４Ｂが接続され、アンテナコイル４Ａ，４Ｂによって外部との間で電気信号が送受信される。この電気信号が第１及び第２のＩＣチップ３Ａ，３Ｂによって変調又は復調されることにより、それぞれのＩＣチップ３Ａ，３Ｂ内の半導体メモリ１０ａ，１０ｂに読み書きするデータの授受が行われる。この際、スイッチ部８の導電部１３の移動により、両方のアンテナコイル４Ａ，４Ｂの途中に形成された接続端部２０，３０を選択的に導通させることによって、第１のＩＣチップ３Ａに接続された第１のアンテナコイル４Ａ、及び第２のＩＣチップ３Ｂに接続された第２のアンテナコイル４Ｂのうちから選択して電気信号を送受信させることができる。その結果、１枚のカードで複数のＩＣチップの中から選択して、データを送受信させることができる。
【００２５】
特に、両方のアンテナコイル４Ａ，４Ｂの接続端部２０，３０を露出させるように直線的に形成されたスイッチ収容部７にスイッチ部８を収容させ、このスイッチ部８をスイッチ収容部７のガイド溝１２に沿って直線的にスライドさせることにより、第１及び第２の接続端部２０，３０の両接続端部のいずれか一方が、スイッチ部８に設けられた導電部１３と接触して導通する。これにより、スイッチ部８を平板状の形状としてベース部２に収容することで、スイッチ部８の厚さを薄くしてカード全体の薄型化を図ることができる。特に、スライドによりアンテナコイル４Ａ，４Ｂを選択的に切り替えることにより、２つのＩＣチップ３Ａ，３Ｂを円滑に切り替えることができる。
【００２６】
また、第１のＩＣチップ３Ａと第２のＩＣチップ３Ｂとは異なる種類である場合に、１枚のカードで２種類のＩＣチップの中から選択して、データを送受信させることができる。その結果、例えば、一方のデータ送受信部５Ａの半導体メモリ１０ａに書き込まれている残金データが不足した場合に予備用のデータ送受信部５Ｂに切り替えたり、データ送受信部５Ａが有する定期券用データ処理機能からデータ送受信部５Ｂが有する自動販売機用データ処理機能に切り替えたりすることで、状況に応じて非接触型ＩＣカード１を幅広い用途に使用することができる。
【００２７】
［第２実施形態］
次に、本発明の第２実施形態について説明する。図３（ａ）及び（ｂ）は、本発明の第２実施形態にかかる非接触型ＩＣカード１０１を概略的に示す平面図である。本実施形態にかかる非接触型ＩＣカード１０１は、矩形平板状のベース部１０２内部に４個のＩＣチップ１０３Ａ，１０３Ｂ，１０３Ｃ，１０３Ｄと４個のアンテナコイル１０４Ａ，１０４Ｂ，１０４Ｃ，１０４Ｄとが配設されている点と、スイッチ収容部１０７及びスイッチ部１０８の形状とが、上述した第１実施形態のものと異なる。
【００２８】
すなわち、図３（ａ）に示すように、第１のＩＣチップ１０３Ａ、第２のＩＣチップ１０３Ｂ、第３のＩＣチップ１０３Ｃ、及び第４のＩＣチップ１０３Ｄには、それぞれ、第１のアンテナコイル１０４Ａ、第２のアンテナコイル１０４Ｂ、第３のアンテナコイル１０４Ｃ、及び第４のアンテナコイル１０４Ｄが接続されている。第１のアンテナコイル１０４Ａ、第２のアンテナコイル１０４Ｂ、第３のアンテナコイル１０４Ｃ、及び第４のアンテナコイル１０４Ｄは、ベース部１０２の長辺方向に２分割、短辺方向に２分割された４つの領域において、それぞれの領域の縁部に沿って矩形ループ状に巻かれた導電路として形成されている。
【００２９】
また、ベース部１０２の表面中央部には、円板状のプラスチック製のスイッチ部８がスイッチ収容部１０７に収容された状態で保持されている。図４は、図３（ａ）の非接触型ＩＣカード１０１のスイッチ部１０８周辺におけるＩＶ−ＩＶ線に沿った縦断面図である。
【００３０】
図３（ａ）及び図４に示すように、スイッチ収容部１０７は、第１〜第４の接続端部１２０，１３０，１４０，１５０を架け渡すように、円形状に形成されている。この場合、スイッチ収容部１０７は、ベース部１０２の表面と平行な円形の底面を有し、その底面の縁部に沿って、側壁面には、外側に向かってＶ字状に形成されたガイド溝１１２を有している。また、スイッチ収容部１０７の底面には、第１〜第４の接続端部１２０，１３０，１４０，１５０が露出している。また、このような形状のスイッチ収容部１０７は、ベース部１０２の厚み方向に沿った断面が略６角形である円盤状のスイッチ収容空間を形成する。
【００３１】
さらに、円板状のスイッチ部１０８は、その外形が上記のスイッチ収容空間とほぼ一致するように形成されている。また、スイッチ部１０８の下面には、中心付近から縁部にかけてＬ字型に延在する帯状の導電部１１３が設けられている。また、スイッチ部１０８には、その円形の縁部に沿って断面Ｖ字状の突起部１１５が形成され、この突起１１５は、スイッチ収容部１０７のガイド溝１１２内に収容される。その結果、スイッチ１０８をガイド溝１１２に沿って回転させることができる。
【００３２】
そこで、図３（ａ）に示すように、スイッチ部１０８の導電部１１３を第１のアンテナコイル１０４Ａ側に向けるようにスイッチ部１０８を回転させると、スイッチ部１０８の導電部１１３の両端部と、第１の接続端部１２０の両接続端部１２０ａ，１２０ｂとが重ね合わされた状態で接触し、第１のアンテナコイル１０４Ａの導電路が電気的に導通される。同様に、図３（ｂ）に示すように、スイッチ部１０８の導電部１１３を第２のアンテナコイル１０４Ｂ側に向けるようにスイッチ部１０８を回転させると、導電部１１３の両端部と、第２の接続端部１３０の両接続端部１３０ａ，１３０ｂとが重ね合わされた状態で接触し、第２のアンテナコイル１０４Ｂの導電路が電気的に導通される。このように、スイッチ部１０８は、第１〜第４のアンテナコイル１０４Ａ，１０４Ｂ，１０４Ｃ，１０４Ｄを電気的に閉じる位置の間で選択的に回転する。
【００３３】
なお、スイッチ部１０８及びスイッチ収容部１０７においては、係止部と溝部からなるロック機構を備えてもよい。例えば、十文字状の係止部と溝部によってロック機構を構成しても良い。
【００３４】
上述した非接触型ＩＣカード１０１によれば、４つのアンテナコイル１０４Ａ，１０４Ｂ，１０４Ｃ，１０４Ｄの接続端部１２０，１３０，１４０，１５０を露出させるように円形に形成されたスイッチ収容部１０７にスイッチ部１０８を収容させ、スイッチ部１０８をスイッチ収容部１０７のガイド溝１１２に沿って回転させることにより、第１〜第４の接続端部１２０，１３０，１４０，１５０のいずれか１つが、スイッチ部１０８に設けられた導電部１１３と接触して導通する。これにより、１枚のカードで４つのＩＣチップの中から選択して、データを送受信させることができる。また、スイッチ部１０８を円板状の形状としてベース部１０２に収容させることで、スイッチ部の厚さを薄くしてカード全体の薄型化を図ることができる。特に、回転によりアンテナコイルを選択的に切り替えることにより、３つ以上のＩＣチップを備えた非接触型ＩＣカード内で使用するデータ送受信部を円滑に切り替えることができる。
【００３５】
なお、本発明は上述した各実施形態に限定されるものではない。例えば、非接触型ＩＣカードに備えられるＩＣチップとしては、ＣＰＵを内蔵しないものを使用してもよい。
【００３６】
また、１枚の非接触型ＩＣカードに備えるデータ送受信部及びスイッチ部の数は、特定の数に限られるものではない。
【図面の簡単な説明】
【００３７】
【図１】本発明の第１実施形態にかかる非接触型ＩＣカード１を概略的に示す平面図である。
【図２】図１の非接触型ＩＣカードのスイッチ部周辺を部分的に示す分解斜視図である。
【図３】（ａ）は、本発明の第２実施形態にかかる非接触型ＩＣカードを概略的に示す平面図、（ｂ）は、（ａ）の非接触型ＩＣカードのスイッチ部を時計回りに９０°回転させた後の状態を示す平面図である。
【図４】図３（ａ）のＩＶ−ＩＶ線に沿った断面図である。
【符号の説明】
【００３８】
１，１０１…非接触型ＩＣカード、２，１０２…ベース部、３Ａ，１０３Ａ…第１のＩＣチップ、３Ｂ，１０３Ｂ…第２のＩＣチップ、１０３Ｃ…第３のＩＣチップ、１０３Ｄ…第４のＩＣチップ、４Ａ，１０４Ａ…第１のアンテナコイル、４Ｂ，１０４Ｂ…第２のアンテナコイル、１０４Ｃ…第３のアンテナコイル、１０４Ｄ…第４のアンテナコイル、５Ａ，１０５Ａ…第１のデータ送受信部、５Ｂ，１０５Ｂ…第２のデータ送受信部、１０５Ｃ…第３のデータ送受信部、１０５Ｄ…第４のデータ送受信部、２０，１２０…第１の接続端部、３０，１３０…第２の接続端部、１４０…第３の接続端部、１５０…第４の接続端部、７，１０７…スイッチ収容部、８，１０８…スイッチ部、１０ａ，１０ｂ，１０ｃ，１０ｄ…半導体メモリ、１３，１１３…導電部。  
【図１】
2006190111.tif 000003
【図２】
2006190111.tif 000004
【図３】
2006190111.tif 000005
【図４】
2006190111.tif 000006